(57)【要約】【課題】装置内の温度の迅速安定化が可能な光分析装置を実現すること。【解決手段】  被測定対象に測定光を投光する光源と、この光源からの測定光の光量が低下すると前記光源に替わり測定光を投光する予備光源とを備え、前記被測定対象からの反射光である検出光を測定して被測定対象を分析する光分析装置において、前記光源および前記予備光源を制御して同時に点灯させる光源制御手段と、を備えることを特徴とする。【選択図】図１
2011089772.tif 000002
【特許請求の範囲】
【請求項１】
被測定対象に測定光を投光する光源と、この光源からの測定光の光量が低下すると前記光源に替わり測定光を投光する予備光源とを備え、前記被測定対象からの反射光または透過光である検出光を測定して被測定対象を分析する光分析装置において、
前記予備光源と前記光源とを共に点灯させる光源制御手段と、
を備えることを特徴とする光分析装置。
【請求項２】
前記光源制御手段は、
少なくとも前記光源および前記予備光源が設けられた収納部内の温度が安定するまで、または、安定する直前まで、前記予備光源と前記光源とを共に点灯させることを特徴とする請求項１記載の光分析装置。
【請求項３】
前記光源制御手段は、
前記収納部内の検出温度が安定する、または、安定する直前になると前記予備光源または前記光源を消灯させることを特徴とする請求項２記載の光分析装置。
【請求項４】
前記収納部内の温度を検出する温度検出手段を備え、
前記光源制御手段は、
前記温度検出手段から取得した前記収納部内の検出温度に基づき前記光源および前記予備光源を点灯または消灯させることを特徴とする請求項２または３記載の光分析装置。
【請求項５】
前記光源または前記予備光源のいずれかの測定光を選択して前記被測定対象に出射する切替手段を備えることを特徴とする請求項１〜４のいずれかに記載の光分析装置。
【請求項６】
前記光源制御手段は、
前記収納部内の温度が予め定める閾値を超えると前記予備光源または前記光源を消灯させることを特徴とする請求項２〜５のいずれかに記載の光分析装置。
【請求項７】
前記光源制御手段は、
前記収納部内の予め定める時間単位における温度変化量が予め定める閾値以下になると前記予備光源または前記光源を消灯させることを特徴とする請求項２〜６のいずれかに記載の光分析装置。
【発明の詳細な説明】
【技術分野】
【０００１】
本発明は、被測定対象に測定光を投光する光源と、この光源からの測定光の光量が低下すると光源に替わり測定光を投光する予備光源と、被測定対象からの反射光である検出光を測定して被測定対象を分析する分析手段とを備える光分析装置に関し、特に光分析装置内の温度の迅速安定化に関する。
【背景技術】
【０００２】
従来、近赤外光を利用した分光法などにより、光源から被測定対象に照射すると、被測定対象に含まれる成分に特有の波長域においてその成分の量に応じた吸光特性を示すことから、被測定対象からの反射光などの測定光から吸光度（特定成分による光の吸収度）を算出し、その吸光スペクトルに基づいて被測定対象に含まれる成分を分析する光分析装置が知られている。
【０００３】
具体的には、被測定対象として農産物が挙げられる。たとえば、この農産物に光を照射し、その農産物を反射（または透過）した光から吸光度スペクトルを求めた後、農産物の糖度又は酸度を周知の破壊試験（屈折糖度計、電気伝導率メータなどを用いた試験等）にて算出し、吸光度スペクトルと糖度あるいは酸度の相関関係を表す式を作成し、これを検量線として予め記憶するとともに、農産物の透過光若しくは反射光から算出された吸光度を検量線に代入することで、その農産物の糖度や酸度に係る内部品質が測定されていた。
【０００４】
図３は従来の光分析装置の構成図であり、図３において従来の光分析装置は、主に、被測定対象７に測定光を投光する光源１と、光源１とは別途設けられ光源１からの測定光の光量が低下すると光源１に替わり測定光を投光する予備光源２と、光源１または予備光源２のいずれかの測定光を選択して被測定対象７に出射し、特に光源から出射される測定光の光量が低下すると光源１に替えて予備光源２からの測定光を出射する切替手段３と、被測定対象７からの反射光である検出光を測定し、検出光および参照光に基づき吸光度（特定成分による光の吸収度）を算出する光検出手段４とから構成される。
【０００５】
また図３の光分析装置は、予め記憶されている吸光度スペクトルと被測定対象７の各種成分との相関関係を表す関係式に、検出光から算出された吸光度を代入することにより、被測定対象７に係る各種成分を測定・分析する分析手段５と、図示しない入力手段からの点灯要求／消灯要求である点灯要求信号または消灯要求信号、または切替手段３からの光源１から予備光源２への切り替え要求である切替信号などに基づいて光源１または予備光源２を点灯・消灯させる光源制御手段６とからも構成される。
【０００６】
光源制御手段６は、光源１、予備光源２および切替手段３と電気的に相互接続され、制御信号の送受により光源１または予備光源２を点灯・消灯させる。また光源制御手段６は、切替手段３からの切替信号に基づき光源１を消灯し予備光源２を点灯するなどして光源の切替を行なう。
【０００７】
光源１および予備電源２からの測定光は、光ファイバなどの導光手段１０１、１０２を介して切替手段３に導光される。
【０００８】
切替手段３によりいずれか選択されて出射された測定光は、光ファイバなどの導光手段１０３を介して被測定対象７に照射される。被測定対象７により反射された検出光は、光ファイバなどの導光手段１０４を介して光検出手段４に導光される。
【０００９】
このような構成で従来の光分析装置は次の動作を実行する。
【００１０】
光源制御手段６は、入力手段を介して入力された点灯要求信号に基づき、光源１に点灯させるための（点灯）制御信号を送信して光源１を点灯させる。
【００１１】
光源１からの測定光は、導光手段１０１および切替手段３、導光手段１０３、レンズ（図示せず）等を介して被測定対象７に照射される。
【００１２】
被測定対象７に入射した光のうち被測定対象７によって反射される検出光は、レンズなどで集光されて導光手段１０４に導入され、光検出手段４に入射する。
【００１３】
ここに、検出光は被測定対象７の吸収を受け、光源から投光された測定光のうち特定の波長の光が減衰するものである。
【００１４】
光検出手段４は、被測定対象７から入射した検出光に基づいて被測定対象７の吸収による減衰量を算出し、いいかえれば吸光度（特定成分による光の吸収度）を算出して、その算出結果である吸光度スペクトルを含むデータ信号を分析手段５に出力する。
【００１５】
分析手段５は、光検出手段４から入力された吸光度スペクトルを含むデータ信号に基づき被測定対象７に含まれる成分を分析する。具体的には、分析手段５にあらかじめ記憶されている吸光度スペクトルと被測定対象７の各種成分との相関関係を表す関係式に、被測定対象７からの検出光から算出された吸光度を代入することにより、被測定対象７に係る各種成分を測定・分析する。
【００１６】
なお光源制御手段６は、図示しない入力手段からの点灯要求／消灯要求である点灯要求信号または消灯要求信号、または切替手段３からの光源１から予備光源２への切り替え要求である切替信号などに基づいて光源１または予備光源２を点灯・消灯させる。
【００１７】
このように、従来の分光分析装置は、分析手段が検出光に基づいて、吸光度（特定成分による光の吸収度）を算出し、その吸光スペクトルに基づいて被測定対象に含まれる成分を分析できる点で有効であった。
【００１８】
このような光分析装置に関連する先行技術文献として下記の特許文献１、２がある。
【先行技術文献】
【特許文献】
【００１９】
【特許文献１】特開２０００−２０６０３７号公報
【００２０】
【特許文献２】特開２００８−２９８４６６号公報
【発明の概要】
【発明が解決しようとする課題】
【００２１】
従来の光分析装置では、光源１が環境温度変動に対して出力の依存性を有する内蔵熱光源（例えばハロゲンランプ）などで構成されることがあった。
この場合、従来の光分析装置では、内蔵熱光源（例えばハロゲンランプ）が測定光を投光すると、少なくとも光源１が収納される光分析装置内に設けられる収納ケース・収納箱などの収納手段または光分析装置内（以下これらを収納部という。）の温度が上昇してから安定的な温度となるまで時間を要するので、この安定的な温度となるまでの時間で測定光の波長にズレが生じてしまい、また測定光の光強度（パワー）にも変動が発生してしまい、正確な吸光分析ができないという問題点があった。
【００２２】
たとえば、図４は従来の光分析装置内の温度上昇についての説明図であり、図４において従来の光分析装置の光源１が測定光を投光すると、収納部の温度が上昇してから安定的な温度となるまで時間Ｔ１００を要することになる。
この場合従来の光分析装置では、収納部内が安定的な温度となるまでの時間Ｔ１００は測定光の波長にズレが生じてしまい、また測定光の光強度（パワー）にも変動が発生してしまい、正確な吸光分析ができないという問題点があった。
【００２３】
また、従来の空冷（放熱器、ファン等）、水冷の放熱対策が不可能な光分析装置では収納部内の温度の安定化に時間を要してしまい、正確な吸光分析ができないという問題点があった。
さらに従来の光分析装置内の自然対流が起こりにくい環境下では収納部内の温度の安定化に時間を要してしまい、正確な吸光分析ができないという問題点があった。
【００２４】
このように従来の光分析装置では、光学系の温度依存が安定しない、もしくは安定化に時間を要するので、安定的な温度となるまでの時間は測定光の波長にズレが生じてしまい、また測定光の光強度（パワー）にも変動が発生してしまい、正確な吸光分析ができないという問題点があった。例えば、ポリクロメータ方式を利用する光分析装置では、収納部内が安定的な温度となるまでの時間帯は光学系に使用される金属部品の熱膨張により計測波長にズレが生じてしまうという問題点があった。
【００２５】
本発明は上述の問題点を解決するものであり、その目的は、装置内の温度の迅速安定化が可能な光分析装置を実現することにある。
【課題を解決するための手段】
【００２６】
このような課題を達成するために、本発明のうち請求項１記載の発明は、
被測定対象に測定光を投光する光源と、この光源からの測定光の光量が低下すると前記光源に替わり測定光を投光する予備光源とを備え、前記被測定対象からの反射光である検出光を測定して被測定対象を分析する光分析装置において、
前記予備光源と前記光源とを共に点灯させる光源制御手段と、
を備えることを特徴とする光分析装置である。
【００２７】
請求項２記載の発明は、請求項１記載の光分析装置において、
前記光源制御手段は、
少なくとも前記光源および前記予備光源が設けられた収納部内の温度が安定するまで、または、安定する直前まで、前記予備光源と前記光源とを共に灯させることを特徴とする。
【００２８】
請求項３記載の発明は、請求項２記載の光分析装置において、
前記光源制御手段は、
前記収納部内の検出温度が安定する、または、安定する直前になると前記予備光源または前記光源を消灯させることを特徴とする。
【００２９】
請求項４記載の発明は、請求項２または３記載の光分析装置において、
前記収納部内の温度を検出する温度検出手段を備え、
前記光源制御手段は、
前記温度検出手段から取得した前記収納部内の検出温度に基づき前記光源および前記予備光源を点灯または消灯させることを特徴とする。
【００３０】
請求項５記載の発明は、請求項２〜５のいずれかに記載の光分析装置において、
前記光源または前記予備光源のいずれかの測定光を選択して前記被測定対象に出射する切替手段を備えることを特徴とする。
【００３１】
請求項６記載の発明は、請求項２〜５のいずれかに記載の光分析装置において、
前記光源制御手段は、前記収納部内の温度が予め定める閾値を超えると前記予備光源または前記光源を消灯させることを特徴とする。
【００３２】
請求項７記載の発明は、請求項２〜６のいずれかに記載の光分析装置において、
前記光源制御手段は、
前記収納部内の予め定める時間単位における温度変化量が予め定める閾値以下になると前記予備光源または前記光源を消灯させることを特徴とする。
【発明の効果】
【００３３】
この結果、被測定対象に測定光を投光する光源と、この光源からの測定光の光量が低下すると前記光源に替わり測定光を投光する予備光源とを備え、前記被測定対象からの反射光である検出光を測定して被測定対象を分析する光分析装置において、前記予備光源と前記光源とを共に点灯させる光源制御手段と、を備えることにより、収納部（収納手段または光分析装置）内の温度を迅速に安定化でき、光源・光学系ともに早期安定化が図れるので、正確な吸光分析に貢献できる。
【図面の簡単な説明】
【００３４】
【図１】本発明に係る発明に係る光分析装置の構成例を示す構成図である。
【図２】本発明に係る光分析装置の収納部（収納手段または光分析装置）内における温度の迅速安定化を説明する説明図である。
【図３】従来の光分析装置の構成図である。
【図４】従来の光分析装置内の温度上昇についての説明図である。
【発明を実施するための形態】
【００３５】
本発明は、被測定対象に測定光を投光する光源と、この光源からの測定光の光量が低下すると光源に替わり測定光を投光する予備光源と、被測定対象からの反射光である検出光を測定して被測定対象を分析する分析手段とを備える光分析装置に関し、特に光源制御手段が光源および予備光源が設けられた収納部（収納手段、光分析装置、光分析装置の筐体）内の温度が安定するまで、または、収納部（収納手段、光分析装置、光分析装置の筐体）内内の温度が安定する直前まで、予備光源と光源とを共に点灯させることを特徴とする光分析装置に関する。
以下、図面を用いて本発明の光分析装置を説明する。
【００３６】
図１は、本発明に係る光分析装置の構成例を示す構成図であり、図３と共通する部分には同一の符号を付けて適宜説明を省略する。図３との相違点は、主に、少なくとも光源および予備光源が設けられた収納部内の温度を検出する温度検出手段を備え、光源制御手段が光源および予備光源が設けられた収納部内の温度が安定するまで、または、収納部内の温度が安定する直前まで、前記予備光源と前記光源とを制御して共に点灯させる点が相違する。
【００３７】
図１において、本発明に係る光分析装置は、光源１、予備光源２、切替手段３、光検出手段４、分析手段５、光源制御手段１０、温度検出手段１１から構成され、これらは光分析装置の同一筐体内に設置される。
【００３８】
また本発明に係る光分析装置は、少なくとも光源１、予備光源２が収納される収納ケース・収納箱などの収納手段（図示せず）が光分析装置内に設けられるものでもよい。
この場合、光制御手段１０と光源１・予備光源２は収納手段の一部を貫通して信号線などによって接続され、光源１・予備光源２の測定光は収納手段の一部を貫通する導光手段１０１・１０２により切替手段３に導光される。
【００３９】
ここで、光源１、予備光源２が少なくとも収納され、光分析装置内に設けられた収納ケース・収納箱などの収納手段または光分析装置内を、以下総じて「収納部」という。
【００４０】
図１の本発明に係る光分析装置の各構成要素について以下具体的に説明する。
光分析装置は、被測定対象７に測定光を投光する光源１と、光源１とは別途設けられ光源１からの測定光の光量が低下する場合または光源１が寿命により使用不可となった場合に光源１に替わり測定光を投光する予備光源２と、光源１または予備光源２のいずれかの測定光を選択して被測定対象７に出射し、特に光源から出射される測定光の光量が低下すると光源１に替えて予備光源２からの測定光を出射する切替手段３と、被測定対象７からの反射光である検出光を測定し、検出光および参照光に基づき吸光度（特定成分による光の吸収度）を算出する光検出手段４とから構成される。光源１、予備光源２は、たとえば発光すると熱を発するハロゲンランプなどの熱光源から構成される。
【００４１】
また図１の光分析装置は、予め記憶されている吸光度スペクトルと被測定対象７の各種成分との相関関係を表す関係式に、検出光から算出された吸光度を代入することにより、被測定対象７に係る各種成分を測定・分析する分析手段５と、温度検出手段１１が検出した収納部内の温度である検出温度に基づき収納部内の温度が安定する（またはその直前）まで予備光源２と光源１とを制御して共に点灯させる、或いは、収納部内の検出温度が安定する（またはその直前になる）と予備光源を制御して消灯させる光源制御手段１０と、光源および予備光源が設けられた収納部（収納手段または光分析装置）内の温度を検出する温度検出手段１１からも構成される。
【００４２】
光源制御手段１０は図示しない入力手段からの点灯要求／消灯要求である「点灯要求信号」または「消灯要求信号」、または切替手段３からの光源１から予備光源２への切り替え要求である「切替信号」などに基づいて光源１または予備光源２を点灯・消灯させるものでもよい。
【００４３】
さらに光分析装置は、特に図示しないＣＰＵ（Central Processing Unit）やＲＯＭ（Read  Only  Memory）、ＲＡＭ（Random  Access  Memory）などの当該光分析装置各部を制御する制御手段、各種データを格納する光学的・磁気的記憶媒体や半導体メモリなどの記憶手段、ユーザの操作入力を受け付ける入力手段、ＣＲＴ（Cathode Ray Tube）やＬＣＤ（Liquid Crystal Display）などの表示手段、などを有する。
【００４４】
この光分析装置は、上述した記憶手段において、各種制御プログラムを格納し、光分析装置は、この各種制御プログラムを制御手段で読み出して順次実行することで、分析手段５、光源制御手段１０としての機能を提供する。
【００４５】
光源制御手段１０は、光源１、予備光源２、切替手段３、温度検出手段１１と電気的に信号線等を介して相互接続され、制御信号の送受により光源１または予備光源２を点灯・消灯させる。
【００４６】
光源１および予備電源２からの測定光は、光ファイバなどの導光手段１０１、１０２を介して切替手段３に導光される。
【００４７】
切替手段３によりいずれか選択されて出射された測定光は、光ファイバなどの導光手段１０３を介して被測定対象７に照射される。被測定対象７により反射された検出光は、光ファイバなどの導光手段１０４を介して光検出手段４に導光される。
【００４８】
光源制御手段１０は、図示しない入力手段からの点灯要求／消灯要求である点灯要求信号または消灯要求信号に基づき、各光源を点灯・消灯するための制御信号を信号線を介して出力する。光源１または予備光源２は入力された制御信号に基づき点灯・消灯させる。
【００４９】
また光源制御手段１０は、切替手段３から信号線を介して入力される光源１から予備光源２への切り替え要求である切替信号などに基づき、各光源を点灯・消灯するための制御信号を信号線を介して光源１または予備光源２を点灯・消灯させて測定光を投光する光源を切り替える。
【００５０】
温度検出手段１１は、収納部（収納手段または光分析装置）内の温度を検出し、検出された温度を示す検出温度信号を信号線等を介して光源制御手段１０に出力する。
【００５１】
このような構成で本発明に係る光分析装置は次の（１）〜（１０）の動作を実行する。
【００５２】
（１）光源制御手段１０は、図示しない入力手段を介して入力された点灯要求信号に基づき、光源１および予備光源２を点灯させるための（点灯）制御信号を出力して光源１および予備光源２を（ほぼ）同時に点灯させる。いいかえれば光源制御手段１０は予備光源２と光源１とを共に点灯させる。
このように本発明の光分析装置は、光源１および予備光源２が共に点灯して測定光を投光することにより、収納部（収納手段または光分析装置）内の温度を迅速に安定化できる点で有効である。
【００５３】
図２は、本発明に係る光分析装置の収納部（収納手段または光分析装置）内における温度の迅速安定化を説明する説明図である。図２は、横軸は時間、縦軸は温度して収納部（収納手段または光分析装置）内における温度変化を表しており、実線が本発明における収納部内の温度変化を表し、破線が背景技術で説明した光分析装置における収納部内の温度変化を表す。
【００５４】
図２中の時間Ｔ２０１で光源１および予備光源２が共に点灯して測定光を投光すると、従来の収納部内の温度変化よりも温度の上昇（立ち上がり）が迅速化する。
たとえば、背景技術における収納部内の温度（破線）の温度は時間Ｔ２０４で安定するのに対し、本発明における収納部内の温度（実線）は、時間Ｔ２０３で安定する。
すなわち本発明の光分析装置は、光源１および予備光源２が共に点灯して測定光を投光するため、収納部（収納手段または光分析装置）内の温度を迅速に安定化できる。
【００５５】
（２）光源１からの測定光は、導光手段１０１を介して切替手段３に入射される。予備光源２からの測定光は、導光手段１０２を介して切替手段３に入射される。
【００５６】
（３）切替手段３は、受光した測定光のうち光源１からの測定光を選択して出射し、切替手段３は、予備光源２からの測定光を遮光する、または、被測定対象に照射させないように被測定対象への照射光路を切り替える。具体的には切替手段３の一例として、光路切替の光スイッチ（機械式、ＭＥＭＳ（Micro Electro Mechanical Systems)、導波路型のいずれのスイッチでもよい）があり、切替手段３は予備光源２からの測定光を結合導波路・位相変化・屈折率導波・全反射などの原理により予備光源２からの測定光を遮光する、または、被測定対象に照射させないように被測定対象への照射光路を切り替える。
【００５７】
（４）切替手段３から出射された（光源１からの）測定光は、導光手段１０３、レンズ（図示せず）等を介して被測定対象７に照射される。
【００５８】
（５）被測定対象７に入射した光のうち被測定対象７によって反射される検出光は、レンズなどで集光されて導光手段１０４に導入され、光検出手段４に入射する。
【００５９】
ここに、検出光は被測定対象７の吸収を受け、光源から投光された測定光のうち特定の波長の光が減衰するものである。
【００６０】
（７）光検出手段４は、被測定対象７から入射した検出光に基づいて被測定対象７の吸収による減衰量を算出し、いいかれば吸光度（特定成分による光の吸収度）を算出して、その算出結果である吸光度スペクトルを含むデータ信号を分析手段５に出力する。
【００６１】
（８）分析手段５は、光検出手段４から入力された吸光度スペクトルを含むデータ信号に基づき被測定対象７に含まれる成分を分析する。具体的には、分析手段５にあらかじめ記憶されている吸光度スペクトルと被測定対象７の各種成分との相関関係を表す関係式に、被測定対象７からの検出光から算出された吸光度を代入することにより、被測定対象７に係る各種成分を測定・分析する。
【００６２】
なお光源制御手段１０は、図示しない入力手段からの点灯要求／消灯要求である点灯要求信号または消灯要求信号、または切替手段３からの光源１から予備光源２への切り替え要求である切替信号などに基づいて光源１または予備光源２を点灯・消灯させる。
【００６３】
（９）一方、温度検出手段１１は、収納部（収納手段または光分析装置）内の温度を検出し、検出された温度を示す検出温度信号を信号線等を介して光源制御手段１０に出力する。
【００６４】
（１０）光源制御手段１０は、温度検出手段１１から入力される検出温度信号に基づき、収納部内の温度が安定するまたはその直前になると、予備光源２（または光源１）に制御信号を制御して予備光源２（または光源１）を消灯させる。
【００６５】
つまり、光源制御手段１０は、温度検出手段１１から入力される検出温度信号に基づき、収納部内の温度が安定するまたはその直前まで、光源１および予備光源２を制御してともに点灯させることになる。
【００６６】
具体的には、光源制御手段１０は、入力された検出温度信号に基づき、収納部内の温度が記憶手段に記憶されている収納部内の温度に応じた予め定めた閾値を超えると予備光源２（または光源１）を消灯させる。
たとえば図２において、光源制御手段１０は、実線で示した収納部内の温度変化が安定する直前の時間Ｔ２０５において、収納部内の温度が記憶手段に記憶されている収納部内の温度に応じた予め定めた閾値を超えると、予備光源２（または光源１）を消灯させる。
すなわち光源制御手段１０は、温度検出手段１１から入力される検出温度信号に基づき、収納部内の温度が安定するまたはその直前になると予備光源２（または光源１）を消灯させる。
【００６７】
または、光源制御手段１０は、入力された検出温度信号に基づき、収納部内の所定の時間単位（予め定めた時間単位）における温度変化量が、記憶手段に記憶されているこの温度変化量に応じた予め定めた閾値以下になると予備光源２（または光源１）を消灯させるものでもよい。
【００６８】
たとえば図２において、光源制御手段１０は、実線で示した収納部内の温度変化が安定する直前の時間Ｔ２０２において、収納部内の所定の時間単位（予め定めた時間単位）における温度変化量が、記憶手段に記憶されているこの温度変化量に応じた予め定めた閾値以下になると、予備光源２（または光源１）を消灯させる。
つまり光源制御手段１０は、温度検出手段１１から入力される検出温度信号に基づき、収納部内の温度が安定するまたはその直前になると予備光源２（または光源１）を消灯させることになる。
このため、光源制御手段１０が収納部内の温度が安定する（またはその直前になる）と予備光源２（または光源１）を消灯することにより、予備光源を長時間点灯させずに光源寿命に比較的影響を与えないので、予備光源２は光源１の代替する光源としても使用することができる。
【００６９】
この結果、本発明の光分析装置は、光源および予備光源を制御して（ほぼ）同時に点灯させ、収納部内の検出温度が安定するまたはその直前になると予備光源または光源を制御して消灯させることにより、光分析装置内の温度を迅速に安定化できる。
すなわち、本発明の光分析装置は、収納部（収納手段または光分析装置）内の温度を迅速に安定化すれば、スタートアップ（ヒートランタイム）を短縮できるため、光源、光学系ともに早期安定化が図れ、従来の「収納部内が安定的な温度となるまでの時間は測定光の波長にズレが生じてしまい、また測定光の光強度（パワー）にも変動が発生してしまい、正確な吸光分析ができない」という問題点を解決できる点で有効である。
【００７０】
また本発明の光分析装置は、光源制御手段が光源および予備光源が設けられた収納部（または光分析装置の筐体内）の温度が安定するまで、または、収納部内の温度が安定する直前まで、光源および予備光源を制御して同時に点灯させるので、従来の構成をほとんど変えず、光分析装置の安定化が図れる。
【００７１】
なお本発明の実施例では、収納部内の温度に応じた予め定めた閾値または収納部内のある時間単位における温度変化量に応じた予め定めた閾値、図示しない記憶手段に記憶されているものとして説明しているが、特にこれに限定されるものではなく、光源制御手段１０が保持するものであってもよい。
【００７２】
また本発明の光分析装置は、ポリクロメータ方式の光学系による分光器を備えた光分析装置であってもよい。ポリクロメータ方式を用いれば回折格子等を用いてスペクトラム分解し、測定波長域をカバーするように複数のセンサを並べて受光する方式である。主としてセンサ数が波長分解能の制約となる。光の利用効率が高く、短時間測定時のＳ／Ｎ比の面で有利である。また機械的可動部の無い構造が可能である。
【００７３】
また本発明の光分析装置は、防塵または防爆対策が施され自然空冷(放熱窓)や強制空冷(ファン)が設けられていない光分析装置であってもよく、このように自然対流が起こりにくい環境下であっても、本発明の構成であれば、光源とともに予備光源も投光して収納部内の収納部内の温度を迅速に安定化できるため、正確な吸光分析ができる。
【００７４】
また本発明の光分析装置は、光源・予備光源を内蔵したフーリエ変換方式分光器を備えた光分析装置の構成にも適用可能である。
【００７５】
また本発明の光分析装置は、光源・予備光源を内蔵したフィルタ方式分光器を備えた光分析装置の構成にも適用可能である。
【００７６】
また本発明の光分析装置は、光源・予備光源を内蔵したモノクロメータ方式分光器を備えた光分析装置の構成にも適用可能である。
【００７７】
また本発明の光分析装置は、光源・予備光源を内蔵した音響光学回折格子方式分光器を備えた光分析計の構成にも適用可能である。
【００７８】
また本発明の実施例では、光源１、予備光源２は、たとえば発光すると熱を発するハロゲンランプなどの熱光源から構成されるものとして説明しているが、特にこれに限定するものではなく、レーザー光源で構成されるものでもよいし、発光ダイオード光源で構成されるものでもよい。
【００７９】
また本発明の実施例では、光源１と予備光源２とを共に点灯させるものと説明しているが、特にこれに限定するものではなく、光源１の点灯と共に発熱する熱源（例えばヒータ）を構成要素とするものであってもよい。このため、収納部（収納手段または光分析装置）内の温度を迅速に安定化すれば、光源、光学系ともに早期安定化が図れる点で有効である。
【００８０】
このように、本発明に係る光分析装置は、光源と予備光源とを制御して共に点灯させる、または（ほぼ）同時に点灯させる点、収納部内の検出温度が安定するまたはその直前になると予備光源または光源を制御して消灯させる点でそれぞれ特徴があり、光源制御手段が光源および予備光源が設けられた収納部（または光分析装置の筐体内）の温度が安定するまで、または、収納部内の温度が安定する直前まで、光源および予備光源を制御して同時に点灯させることにより、収納部（収納手段または光分析装置）内の温度を迅速に安定化でき、光源・光学系ともに早期安定化が図れるので、正確な吸光分析に貢献できる。
【符号の説明】
【００８１】
１  光源
２  予備光源
３  切替手段
４  光検出手段
５  分析手段
６、１０  光源制御手段
７  被測定対象
１１  温度検出手段
【図１】
2011089772.tif 000003
【図２】
2011089772.tif 000004
【図３】
2011089772.tif 000005
【図４】
2011089772.tif 000006